(57)【特許請求の範囲】
【請求項１】
建築物と、建築物の外周に沿って組み立てられた仮設足場との間に設けられ、仮設足場を建築物に対して突っ張り支持する仮設足場用支持装置であって、
ジャッキ用の螺軸と、螺軸の一端部に設けられ、建築物の外壁面に当接する建築物側当接部材と、螺軸に対し回転及びスライド可能に嵌装された筒状の取付金具と、取付金具の一端側に接して、螺軸に螺合されたジャッキ用のナットと、取付金具の上側面部に設けられ、仮設足場における足場板の側枠部を内外両側から挟持するクランプとからなり、
クランプで足場板の側枠部を挟持して取付金具を足場板に対し固定した状態でナットを回すことにより、螺軸を建築物の外壁面に近づく方向に移動させて、螺軸の一端部の当接部材を建築物外壁面に圧接するようにしてなる仮設足場用支持装置。
【請求項２】
クランプを介して取付金具を足場板に対し固定した状態で、取付金具に嵌挿された螺軸がその他端側から当接部材の設けられた一端側にかけてわずかに上り傾斜となるように、取付金具の中心軸線に足場板の床面に対して仰角を付けてなる請求項１に記載の仮設足場用支持装置。
【請求項３】
クランプは、取付金具上側面の一端部側に突設したブラケットに、螺軸先端部が足場板側枠部の外面に当接する締付用螺杆を取付金具と略平行に螺装すると共に、取付金具上側面の他端部側に突設したブラケットに、締付用螺杆の先端部に対向する位置で足場板側枠部の内面に当接する当接部片を設け、両ブラケット間に足場板側枠部を介在させた状態で締付用螺杆を締め回すことによって、締付用螺杆の先端部と前記当接部片とで足場板側枠部を挟持するようにしてなる請求項１又は２に記載の仮設足場用支持装置。
【請求項４】
締付用螺杆の先端部には、足場板側枠部の外面に当接する皿形の当て金を回転可能に取り付けてなる請求項３に記載の仮設足場用支持装置。
【発明の詳細な説明】
【技術分野】
【０００１】
本発明は、建築物と、建築物の外周（四周）に沿って組み立てられた仮設足場との間に設けられ、仮設足場を建築物に対して突っ張り支持する仮設足場用支持装置に関する。
【背景技術】
【０００２】
建築物を建築していく場合は、建築物の外周（四周）に沿って足場が組み立てられる。狭小地に用いられる一側足場は、建築物の外周に沿って所定間隔ごとに立設される支柱と、各支柱間に水平方向に架け渡される複数の足場板とによって構成される。ビルなどに設置する一側足場では、コンクリート壁面にアンカーを打って、その壁面と支柱との間にツナギ材を設けるが、新築やリフォームなどで戸建住宅などを囲むように設置する足場ではアンカーを設けることができない。従って、建築物の四方よりジャッキによってテンションをかけ、足場を建築物に対して支持する仮設足場用支持装置が使用される。
【０００３】
従来の仮設足場用支持装置は、装置の一方の端部を足場の支柱に固定し、他方の端部を建築物の外壁面に当接することによって、足場と建築物との間に固定されるものであったが、一方の端部が足場の支柱に限定されることから、他方の端部の当接箇所が建築物の外壁面における支柱に対向する箇所に限られ、そのため建築物の外壁面における支柱に対向する箇所が剛性の高い箇所でない限り、足場からの荷重により建築物の外壁面が破損する場合が生ずるという問題があった。
【０００４】
そこで、下記特許文献１に記載のような仮設足場用支持装置が提案されている。この支持装置は、装置の一端部には足場板に当接する足場板側当接部を設け、他端部には建築物の外壁面に当接する建築物側当接部を設け、そして足場板側当接部にはフック状の移動規制部材を設け、このフック状の移動規制部材を足場板のメッシュ状の上面に差し込むことにより、足場板の移動を規制するようになっている。
【先行技術文献】
【特許文献】
【０００５】
【特許文献１】特開２００４−１５０１６１号公報
【発明の概要】
【発明が解決しようとする課題】
【０００６】
上記従来の仮設足場用支持装置は、足場板側当接部に設けたフック状の移動規制部材を足場板のメッシュ状の上面に差し込む構造となっているために、天板部がメッシュ板からなる足場板にしか設置できず、天板部が鋼板などの板材からなる足場板には適用できないという問題がある。
【０００７】
本発明は、上記の事情に鑑み、天板部がメッシュ板に限らず、一般に使用される鋼板やアルミ板からなる足場板にも適用可能な仮設足場用支持装置を提供することを目的としている。
【課題を解決するための手段】
【０００８】
上記課題を解決するための手段を、後述する実施形態の参照符号を付して説明すると、請求項１に係る発明は、建築物Ｔと、建築物Ｔの外周に沿って組み立てられた仮設足場Ａとの間に設けられ、仮設足場Ａを建築物Ｔに対して突っ張り支持する仮設足場用支持装置であって、
ジャッキ用の螺軸４と、螺軸４の一端部に設けられ、建築物Ｔの外壁面ａに当接する建築物側当接部材５と、螺軸４に対し回転及びスライド可能に嵌装された筒状の取付金具６と、取付金具６の一端側に接して、螺軸４に螺合されたジャッキ用のナット７と、取付金具６の上側面部に設けられ、仮設足場における足場板１の側枠部９を内外両側から挟持するクランプ１０とからなり、
クランプ１０で足場板１の側枠部９を挟持して取付金具６を足場板１に対し固定した状態でナット７を回すことにより、螺軸４を建築物Ｔの外壁面ａに近づく方向に移動させて、螺軸４の一端部の当接部材５を建築物外壁面ａに圧接するようにしてなることを特徴とする。
【０００９】
請求項２は、請求項１に記載の仮設足場用支持装置において、クランプ１０を介して取付金具６を足場板１に対し固定した状態で、取付金具６に嵌挿された螺軸４がその他端側から当接部材５の設けられた一端側にかけてわずかに上り傾斜となるように、取付金具６の中心軸線Ｇ１に足場板１の床面に対して仰角を付けてなることを特徴とする。
【００１０】
請求項３は、請求項１又は２に記載の仮設足場用支持装置において、クランプ１０は、取付金具６上側面の一端部側に突設したブラケット１２に、螺軸先端部が足場板側枠部９の外面に当接する締付用螺杆１３を取付金具６と略平行に螺装すると共に、取付金具６上側面の他端部側に突設したブラケット１４に、締付用螺杆１３の先端部に対向する位置で足場板側枠部９の内面に当接する当接部片１５を設け、両ブラケット１２，１４間に足場板側枠部９を介在させた状態で締付用螺杆１３を締め回すことによって、締付用螺杆１３の先端部と前記当接部片１５とで足場板側枠部９を挟持するようにしてなることを特徴とする。
【００１１】
請求項４は、請求項３に記載の仮設足場用支持装置において、締付用螺杆１３の先端部には、足場板側枠部９の外面に当接する皿形の当て金１６を回転可能に取り付けてなることを特徴とする。
【発明の効果】
【００１２】
上記解決手段による発明の効果を、後述する実施形態の参照符号を付して説明すると、請求項１に係る発明によれば、螺軸４と、螺軸４の一端部に設けられ、建築物Ｔの外壁面ａに当接する建築物側当接部材５と、螺軸４に嵌装された筒状の取付金具６と、螺軸４に螺合されたジャッキ用のナット７と、取付金具６の上側面部に設けられ、仮設足場における足場板１の側枠部９を内外両側から挟持するクランプ１０とからなり、クランプ１０で足場板１の側枠部９を挟持して取付金具６を足場板１に対して固定した状態でナット７を回すことにより、螺軸４を建築物外壁面ａに近づく方向に移動させて、螺軸４の一端部の当接部材５を建築物外壁面ａに圧接するようにしたもので、従来の支持装置のように天板部がメッシュ板である足場板に限らず、一般に使用される鋼板などの金属製板材からなる足場板にも適用できると共に、建築物Ｔの外壁面ａにおける剛性の高い任意箇所において仮設足場Ａを建築物Ｔに対し突っ張り支持することができる。
【００１３】
請求項２に係る発明によれば、クランプ１０を介して取付金具６を足場板１に対し固定した状態で、取付金具６に嵌挿された螺軸４がその他端側から当接部材５の設けられた一端側にかけてわずかに上り傾斜となるように、取付金具６の中心軸線Ｇ１に足場板１の床面に対し仰角を付けているため、装置本体部３ａとしての取付金具６にジャッキ部３ｂを設置する際に、このジャッキ部３ｂを構成する螺軸４、建築物側当接部材５及びナット７の自重により取付金具６が傾いて螺軸４が取付金具６から滑り落ちるのを防止することができる。
【００１４】
請求項３に係る発明によれば、クランプ１０は、取付金具６上側面の一端部側に突設したブラケット１２に、螺軸先端部が足場板側枠部９の外面に当接する締付用螺杆１３を取付金具６と略平行に螺装すると共に、取付金具６上側面の他端部側に突設したブラケット１４に、締付用螺杆１３の先端部に対向する位置で足場板側枠部９の内面に当接する当接部片１５を設け、両ブラケット１２，１４間に足場板側枠部９を介在させた状態で締付用螺杆１３を締め回すことによって、締付用螺杆１３と当接部片１５とで足場板側枠部９を挟持するようにしたもので、構造が簡単であるから、製作が容易であると共に、操作が簡単容易となる。
【００１５】
請求項４に係る発明によれば、  ランプ１０は、締付用螺杆１３の先端部に、足場板側枠部９の外面に当接する皿形の当て金１６を回転可能に取り付けているから、締付用螺杆１３を回転させて、その先端部う足場板側枠部９の外側面に押し付ける時に、締付用螺杆１３が回転しても、当て金１６が足場板側枠部９外側面に押し付けられたまま回転しないため、足場板側枠部９が不都合に変形したり傷を付けられることがなく、また当て金１６の摩擦力によって締付用螺杆１３を安定良く固定させることができる。
【図面の簡単な説明】
【００１６】
【図１】本発明の一実施形態を示す仮設足場用支持装置の正面図である。
【図２】仮設足場用支持装置を装置本体部とジャッキ部とに分離した状態の正面図である。
【図３】(a) は仮設足場用支持装置の装置本体部の正面図、(b) は左側面図、(c) は右側面図である。
【図４】(a-1) は筒状取付金具の一端側に設けられるブラケットの正面図、(a-2) は左側面図、(a-3) は平面図であり、(b-1) は先端部に当接部片を設けたブラケットの正面図、(b-2) は左側面図であり、(c-1)は締付用螺杆の正面図、(c-2)は底面図である。
【図５】(a) 〜(c) は足場板に対する仮設足場用支持装置の取付手順の前半部の説明図である。
【図６】(a) 〜(c) は取付手順の後半部の説明図である。
【図７】(a) 及び(b) は一層幅の狭い足場板への仮設足場用支持装置の取付状態を示す正面図である。
【図８】(a) は仮設足場用支持装を取り付ける前の足場の平面図、(b) は仮設足場用支持装を取り付けた後の足場の平面図である。
【発明を実施するための形態】
【００１７】
以下に本発明の好適な一実施形態を図面に基づいて説明すると、図面において、１は、狭小地に使用される一側足場の幅狭足場板である。この足場板１は、鋼板やアルミ板によって形成された金属製足場板で、水平天板部８と、この天板部８の両側部に形成された断面略Ｌ字状の側枠部９，９とからなり、各側枠部９は、側板部９ａと底板部９ｂとで断面略Ｌ字状に形成される。尚、図１，図５及び図６に示す幅狭足場板１は、幅２４０ｍｍ、厚さ（高さ）４０ｍｍである。
【００１８】
図８には、建築物Ｔの外周（四周）に沿って所定間隔おきに立設された支柱２と、これら支柱２・・・のうち、建築物Ｔの外壁面部ａに対応する位置で隣り合う支柱２，２間に架け渡された幅狭の足場板１とからなる一側足場Ａ、ならびに前記支柱２・・・のうち、建築物Ｔの外壁面部ｂに対応する位置で隣り合う支柱２，２間に架け渡された通常幅の足場板１１とからなる一側足場Ｂを並設した状態を示している。両足場Ａ，Ｂは互いに連結されている。また、図示は省略するが、足場板１，１１は、足場板１，１１の端部に突設されたコ字形の取付枠片を、支柱２のフランジに対し楔を介して取り付けることにより、支柱２，２間に架け渡されるようになっている。
【００１９】
そして、図８の(b) に示すように、上記一側足場Ａと建築物Ｔの外壁面部ａとの間に、一側足場Ａを建築物Ｔの外壁面部ａに対し突っ張り支持するための本発明の仮設足場用支持装置３が設けられる。この支持装置３は、図１に示すように、ジャッキ用の螺軸４と、この螺軸４の一端部に設けられ、建築物Ｔの外壁面ａに当接する建築物側当接部材５と、この螺軸４に対し回転及びスライド可能に嵌装された円筒状の取付金具６と、この円筒状取付金具の一端側に接して、螺軸４に螺合されたジャッキ用のナット７と、前記取付金具６の上側面部に設けられ、一側足場Ａにおける足場板１の側枠部９を内外両側から挟持するクランプ１０とからなるもので、クランプ１０で足場板１の側枠部９を挟持して取付金具６を足場板１に対し固定した状態でナット７を回すことにより、螺軸４を建築物Ｔの外壁面ａに近づく方向に移動させて、螺軸４の一端部の当接部材５を建築物Ｔの外壁面ａに圧接するようになっている。
【００２０】
図２は、上記仮設足場用支持装置３を、装置本体部３ａとジャッキ部３ｂとに分離した状態を示す。即ち、装置本体部３ａは、円筒状取付金具６とこれの上側面部に設けられたクランプ１０とから構成され、クランプ１０は、取付金具６上側面の一端部側に突設したブラケット１２に、螺軸先端部が足場板１の側枠部９の外面に当接する締付用螺杆１３を円筒状取付金具６と略平行に延びるように螺装すると共に、取付金具６上側面の他端部側に突設したブラケット１４に、締付用螺杆１３の先端部に対向する位置で足場板側枠部９の内面に当接する当接部片１５を一体に設け、両ブラケット１２，１４間に足場板側枠部９を介在させた状態で締付用螺杆１３を締め回すことによって、締付用螺杆１３と当接部片１５とで足場板側枠部９を挟持するようにしたもので、締付用螺杆１３の先端部には、足場板側枠部９の外面に当接する皿形の当て金１６が回転可能に取り付けられている。
【００２１】
ジャッキ部３ｂは、図２に示すように、螺軸４と、この螺軸４の一端部に例えば溶接により固着された建築物側当接部材５と、螺軸４に螺合されたナット７とからなるもので、建築物側当接部材５は、金属板によってラッパ状に形成されていて、周囲にはゴムが装着されている。ナット７は、直径方向両端部に外向き半径方向に突設された一対の把手１８，１８、及び円筒状取付金具６の端部が嵌合する嵌合凹部１９を有する。
【００２２】
上記装置本体部３ａのクランプ１０の構造について図３及び図４により更に詳しく説明すれば、ブラケット１２は、図４の(a-1) 〜(a-3) に示すように、中央部にネジ孔２０を設けた立板部１２ａの両側部にフランジ部１２ｂ，１２ｂを突設すると共に、両フランジ部１２ｂ，１２ｂの下端部に取付脚部１２ｃ，１２ｃを突設したもので、図３の(a) 及び(b) に示すように円筒状取付金具６の一端部に跨嵌させた状態で溶接することによって、取付金具６の一端部上に立設固定され、そして立板部１２ａのネジ孔２０には、基端部に蝶形ヘッド１３ｏを有する締付用螺杆１３のネジ部１３ａが螺合され、この螺杆１３の先端部には皿形の当て金１６がボルト２１で回転可能に取り付けられる。図４の(c-1) は締付用螺杆１３の正面図、(c-2) は底面図を示す。
【００２３】
図４の(b-1) 及び(b-2) に示すように、ブラケット１４は立板部１４ａと上板部１４ｂと両側板部１４ｃ，１４ｃとからなるもので、このブラケット１４の先端部に当接部片１５が一体に設けられ、この当接部片１５は、ブラケット１４の上板部１４ｂの先端部側と両側板部１５ａ，１５ａと端板部１５ｂとによって形成される。そして、このブラケット１４は、円筒状取付金具６の他端部に跨嵌させた状態で溶接することによって、取付金具６の他端部上に立設固定されて、このブラケット１４の先端部の当接部片１５が、締付用螺杆１３の先端部と対向位置にセットされる。
【００２４】
また図３に示すように、円筒状取付金具６の中心軸線Ｇ１は、この取付金具６に立設されたブラケット１２に水平姿勢に螺装される締付用螺杆１３の中心軸線Ｇ２に対し取付金具６の一端部側でわずかな角度α（例えば２°程度）だけ仰角となるように設定される。これは、後述するように、クランプ１０によって円筒状取付金具６を足場板１に対し固定した状態において、取付金具６に嵌挿されたジャッキ用の螺軸４がその他端側から当接部材５の設けられた一端側にかけてわずかに上り傾斜となるように、取付金具６の中心軸線Ｇ１に足場板１の水平床面（水平天板部８）に対しわずかに仰角を付けることによって、装置本体部３ａにジャッキ部３ｂを設置する際に、螺軸４と建築物側当接部材５とナット７の自重で円筒状の取付金具６が傾いて螺軸４が取付金具６から滑り落ちるのを防止するためである。
【００２５】
尚、図３の(a) には、円筒状取付金具６の中心軸線Ｇ１が、締付用螺杆１３の中心軸線Ｇ２（又は足場板１の水平床面）に対し取付金具６の一端部側で僅かに仰角となるように傾斜した傾斜角度をαで示している。
【００２６】
上記のように構成される仮設足場用支持装置３を、図８に示す一側足場Ａと建築物Ｔの外壁面部ａとの間に設置する手順について、図５及び図６によって説明する。尚、図８の(a) は仮設足場用支持装置３を設置する前の状態を示し、(b) は設置後の状態を示す。
【００２７】
設置にあたっては、図２に示すように装置本体部３ａの取付金具６内にジャッキ部３ｂの螺軸４を嵌装し、そうしてナット７の嵌合凹部１９を取付金具６の一端部に嵌合させ、クランプ１０の一端側ブラケット１２に螺装した締付用螺杆１３は、図５の(a) に示すように、他端側ブラケット１４先端部に設けた当接部片１５との間隔が十分開くように手前側へ移動させておく。
【００２８】
そして先ず、図５の(a) に示すように、支持装置３を、ジャッキ部３ｂ側の当接部材５が建築物Ｔの外壁面部ａと対向するような姿勢で、且つ外壁面部ａにおける剛性の高い位置において、クランプ１０を足場板１の下方よりその片方の側枠部９に近づけ、取付金具６上にあるブラケット１２，１４の間に足場板１の側枠部９が入り込むように支持装置３を持ち上げて、(b) に示す状態とする。
【００２９】
それから、支持装置３の全体を建築物Ｔの外壁面部ａに近づく方向へ水平移動させて、ブラケット１４先端部の当接部片１５を足場板１の側枠部９の内側面に当接させ、(c) に示す状態とする。
【００３０】
その後、図６の(a) に示すように、支持装置３全体を引き下げることにより、当接部片１５を側枠部９の底板部９ｂで支持させた状態とし、この状態で、クランプ１０の締付用螺杆１３を、その先端部が足場板１の側枠部９に近づく方向に回転操作することにより、(b) に示すように、ブラケット１４先端部の当接部片１５と締付用螺杆１３先端部の当て金１６とによって側枠部９を挟持し、これにより取付金具６を足場板１の側枠部９側に固定する。
【００３１】
この時、クランプ１０の締付用螺杆１３の中心軸線Ｇ２は、足場板１の水平天板部８と平行な水平面上に位置するが、円筒状取付金具６の中心軸線Ｇ１には一端部側でわずかに仰角が付けられていて、この円筒状の取付金具６に嵌装された螺軸４は、その他端側から当接部材５の設けられた一端側にかけてわずかに上り傾斜となっているから、ジャッキ部３ｂ（螺軸４、当接部材５及びナット７）の自重で取付金具６が多少傾いても、ジャッキ部３ｂの滑り落ちが防止される。
【００３２】
上記のようにクランプ１０で足場板１の側枠部９を挟持して取付金具６を足場板１に対し固定した状態でナット７を図６の矢印で示すように回すことにより、螺軸４を建築物Ｔの外壁面ａに近づく方向に移動させて、螺軸４の一端部の当接部片１５を外壁面ａに圧接して、図６の(c) に示す状態とし、これにより仮設足場Ａを建築物Ｔに対し突っ張り支持した状態で支持装置３を、足場板１と建築物Ｔの外壁面ａとの間に固定する。図６の(c) に示す状態では、螺軸４側の当接部材５が建築物Ｔの外壁面ａに全面的に押し付けられるため、それまで仰角状態となっていた取付金具６の中心軸線Ｇ１が、足場板１の水平天板部８及びクランプ１０の締付用螺杆１３の中心軸線Ｇ２と平行状態となる。
【００３３】
上記のように一側足場Ａと建築物Ｔの外壁面部ａとの間に仮設足場用支持装置３を設置することによって、一側足場Ａの足場板１全体は、図８の(a) に示すような平面視で緩やかな湾曲線２３に沿った剛性を有する状態から、同図の(b) に示すような平面視で水平な直線２４に沿った剛性を有する状態となり、足場全体の剛性がより向上する。
【００３４】
図７の(a) 及び(b) は、一層幅の狭い足場板１への仮設足場用支持装置３の取付状態を示す正面図で、(a) に示す足場板１は、幅が１５０ｍｍ、厚さ（高さ）が４５ｍｍとされ、(b) に示す足場板１は、幅が１００ｍｍ、厚さ（高さ）が５０ｍｍとされる。支持装置３の構造及び作用については、図１，図５及び図６によって説明した支持装置３と同じである。
【００３５】
以上のように、この仮設足場用支持装置３は、ジャッキ用螺軸４と、この螺軸４の一端部に設けられ、建築物Ｔの外壁面ａに当接する建築物側当接部材５と、螺軸４に嵌装された筒状の取付金具６と、取付金具６の一端側に接して、螺軸４に螺合されたジャッキ用のナット７と、取付金具６の上側面部に設けられ、仮設足場における足場板１の側枠部９を内外両側から挟持するクランプ１０とからなり、クランプ１０で足場板１の側枠部９を挟持して取付金具６を足場板１に対し固定した状態でナット７を回すことにより、螺軸４を建築物Ｔの外壁面ａに近づく方向に移動させて、螺軸４の一端部の当接部材５を建築物外壁面ａに圧接するようにしたもので、従来の支持装置のように天板部がメッシュ板である足場板に限らず、一般に使用される鋼板などの金属製板材からなる足場板にも適用することができると共に、建築物Ｔの外壁面ａにおける剛性の高い任意箇所において仮設足場Ａを建築物Ｔに対し突っ張り支持することができる。
【００３６】
また、この支持装置３では、クランプ１０を介して取付金具６を足場板１に対し固定した状態で、取付金具６に嵌挿された螺軸４がその他端側から当接部材５の設けられた一端側にかけてわずかに上り傾斜となるように、取付金具６の中心軸線Ｇ１に足場板１の床面に対して仰角を付けているため、装置本体部３ａにジャッキ部３ｂをセットする際、このジャッキ部３ｂ（螺軸４、当接部材５及びナット７）の自重により円筒状の取付金具６が傾いて螺軸４が取付金具６から滑り落ちるのを防止することができる。
【００３７】
また、この支持装置３において、クランプ１０は、取付金具６上側面の一端部側に突設したブラケット１２に、螺軸先端部が足場板側枠部９の外面に当接する締付用螺杆１３を取付金具６と略平行に螺装すると共に、取付金具６上側面の他端部側に突設したブラケット１４に、締付用螺杆１３の先端部に対向する位置で足場板側枠部９の内面に当接する当接部片１５を設け、両ブラケット１２，１４間に足場板側枠部９を介在させた状態で締付用螺杆１３を締め回すことによって、締付用螺杆１３と当接部片１５とで足場板側枠部９を挟持するようにしたもので、構造が簡単であるから、製作が容易であると共に、操作が簡単容易となる。
【００３８】
また、このクランプ１０は、締付用螺杆１３の先端部に、足場板側枠部９の外面に当接する皿形の当て金１６を回転可能に取り付けているから、締付用螺杆１３を回転させて、その先端部う足場板側枠部９の外側面に押し付ける時に、締付用螺杆１３が回転しても、当て金１６が足場板側枠部９外側面に押し付けられたまま回転しないため、足場板側枠部９が不都合に変形したり傷を付けられることがなく、また当て金１６の摩擦力によって締付用螺杆１３を安定良く固定させることができる。
【符号の説明】
【００３９】
Ｔ            建築物
ａ            建築物の外壁面
Ａ            仮設足場
１            足場板
２            支柱
３            仮設足場用支持装置
４            ジャッキ用の螺軸
５            当接部材
６            取付金具
７            ジャッキ用のナット
８            足場板の水平天板部
９            足場板の側枠部
１０          クランプ
１２          一端部側ブラケット
１３          締付用螺杆
１４          他端部側ブラケット
１５          当接部片
１６          皿形当て金
【図１】
0005399867.tif 000002
【図２】
0005399867.tif 000003
【図３】
0005399867.tif 000004
【図４】
0005399867.tif 000005
【図５】
0005399867.tif 000006
【図６】
0005399867.tif 000007
【図７】
0005399867.tif 000008
【図８】
0005399867.tif 000009